(57)【要約】【目的】簡単に容器飲み口を開封することができかつ良好な飲み口断面を得ることができる開封装置およびその包装容器を提供することを目的とする。【構成】プルタブで覆われかつ内側フィルムで保護された飲み口を頂壁に有する飲料容器用の開封装置であって、プルタブが、飲み口を覆う実質的に非変形性のカバー４と容器開封時に把持される把持部５とからなり、カバー４は、容器の開封時に、把持部５の引き上げに伴って、プルタブのカバー４を変形させること無く実質的に均等な力で飲み口２の端で内側フィルムを破断する。【選択図】　　　　図１
2004042992.tif 000002
【特許請求の範囲】
【請求項１】
プルタブで覆われかつ内側フィルムで保護された飲み口を頂壁に有する飲料容器用の開封装置であって、
該プルタブが、該飲み口を覆う実質的に非変形性のカバーと容器開封時に把持される把持部とからなり、該カバーは、該容器の開封時に、把持部の引き上げに伴って、プルタブの該カバーを変形させること無く実質的に均等な力で該飲み口端で該内側フィルムを破断することを特徴とする開封装置。
【請求項２】
プルタブで覆われかつ内側フィルムで保護された飲み口及び開封装置を頂壁に有する飲料容器であって、
該プルタブが、該飲み口を覆う実質的に非変形性のカバーと容器開封時に把持される把持部とを有し、
該カバーは、該容器の開封時に、把持部の引き上げに伴って、プルタブの該カバーを変形させること無く実質的に均等な力で該飲み口端で該内側フィルムを破断することを特徴とする包装容器。
【発明の詳細な説明】
【０００１】
【発明の属する技術分野】
本発明は、飲料容器頂壁に設けられプルタブで覆われた飲み口を開封する開封装置および包装容器に関する。
【０００２】
【従来の技術】
飲料容器頂壁にプルタブで覆われかつ内側フィルムで保護された飲み口を有する包装容器は、例えば、特開２００１ー０５８６４７号公報に記載されたものが知られている。図５に示すその容器３と開封装置の構造では、飲料容器の頂壁に設けられた飲み口２と、その飲み口を覆うプルタブ１と、飲み口を内側から保護する内側フイルム（図示せず）とが構成されている。
飲料容器頂壁にリップが設けられ、飲み口を覆うプルタブを開封する包装容器は、例えば、国際公開　ＷＯ　００／４８９１４号公報に記載されたものが知られている。その容器の構造では、飲料容器の頂壁に設けられたリップ、飲み口を覆うプルタブが構成されている。
【０００３】
【発明が解決しようとする課題】
飲料容器頂壁に設けられプルタブで覆われかつ内側フィルムで保護された飲み口を開封する開封装置およびその包装容器においては、容器の開封時に、プルタブの一端を持ち上げ、プルタブが飲み口およびその近傍に接着しているシール部分でプルタブを剥離し、かつ、プルタブと接合している内側フィルムを破断しなくてならない。しかし、プルタブを引き上げプルタブを剥がす際、積層アルミフィルムのプルタブが変形し、従来の飲み口開封を示す概念図の図４に示す様に、剥離開始点７から剥がす力が分散して不均一になり、矢印に示す様に１点から剥離が開始する。その為に、内側フィルムがシャープに切断されずに破断フィルムが飲み口２の端に残留するという不都合が生じることがある。従って、易しい開封性能、綺麗な開封断面が要求されている。
本発明は、簡単に容器飲み口を開封することができかつ不細工な不要な破断部分の無い良好な開封断面を得ることができる開封装置およびその包装容器を提供することを目的とする。
【０００４】
【課題を解決するための手段】
この課題を解決する本発明の開封装置および包装容器は、プルタブで覆われかつ内側フィルムで保護された飲み口を頂壁に有する飲料容器用の開封装置に関し、
プルタブが、飲み口を覆う実質的に変形性のカバーと容器開封時に把持される把持部とからなり、カバーは、該容器の開封時に、把持部の引き上げに伴って、プルタブのカバーを変形させること無く実質的に均等な力で飲み口端で内側フィルムを破断するように構成したものである。
これにより、易しい開封性能、綺麗な飲み口断面が得られる。
【０００５】
【発明の実施の形態】
本発明の請求項１に記載の発明は、プルタブで覆われかつ内側フィルムで保護された飲み口を頂壁に有する飲料容器用の開封装置であって、
プルタブが、飲み口を覆う実質的に非変形性のカバーと容器開封時に把持される把持部とからなり、カバーは、該容器の開封時に、把持部の引き上げに伴って、プルタブのカバーを変形させること無く実質的に均等な力で飲み口端で内側フィルムを破断することを特徴とする。
【０００６】
請求項２に記載の発明は、プルタブで覆われかつ内側フィルムで保護された飲み口及び開封装置を頂壁に有する飲料容器であって、
プルタブが、その飲み口を覆う実質的に非変形性のカバーと容器開封時に把持される把持部とを有し、
そのカバーは、その容器の開封時に、把持部の引き上げに伴って、プルタブのそのカバーを変形させること無く実質的に均等な力でその飲み口端でその内側フィルムを破断することを特徴とする。
【０００７】
上記構成を有するこの発明は以下の作用を有する。
本発明において、プルタブは容器飲み口を覆い、容器外側から飲み口を保護する。容器開封時には、容易に飲み口から剥離される。プルタブと共に飲み口を容器内側から覆う内側フィルムは、飲み口端面を容器内容物（液体食品など）の直接接触から保護し、その端面から液体が浸透することを防止する。飲料容器の飲み口から飲料が注ぎ出されたり、直接に唇に当てて飲用される。この発明における開封装置は前記の飲み口を飲用に適する様に開封する。
【０００８】
この発明において、プルタブが、飲み口を覆う実質的に非変形性のカバーと容器開封時に把持される把持部とからなっている。容器開封時にプルタブの把持部を引き上げると、プルタブのカバーが、その把持部の引き上げに伴って、プルタブのカバーが変形させること無く引き上げられる。その結果、実質的に均等な力で飲み口端で内側フィルムを破断することができる。
以下、本発明の実施の形態について、図１から図３を用いて説明する。
【０００９】
（実施の形態１）
図１は、この発明の一実施の形態である開封装置及びその開封装置を備えた容器一部を示している。図１において、プルタブ１で覆われかつ内側フィルム（図示せず）で保護された飲み口２を頂壁に有する部分的飲料容器３及び開封装置を示し、容器が開封されている途中の状態を示してもいる。
【００１０】
この形態において、プルタブ１は、飲み口２を覆う実質的に非変形性のカバー４と容器開封時に把持される把持部５とからなる。カバー４は、実質的に非変形性であるので、外から通常の応力が付加された場合、目立った変形も無い。容器の開封時に、図示する様に、把持部５を引き上げると、それに伴って、プルタブのカバー４も引き上げられる。この形態では、カバー４と把持部５とが直線状に接合しているので、プルタブカバー４の剥離は、直線状に開始しその開始箇所も直線状になる。図１にその開始線６を示す。図２は、開封メカニズムを概略的に示すものである。開始線６からプルタブカバー４が容器頂壁であって飲み口２の近傍から剥離する。剥離する方向は、矢印を示す様に開始線６に実質的に直角方向になる。その結果、実質的に均等な力で飲み口端で内側フィルムを破断することができ、飲み口端で内側フィルムを均一に綺麗に破断することができる。
【００１１】
この実施の形態において、プルタブ１は、カバー４と把持部５とからなる。そのカバー４は、実質的に非変形性を持つものであり、例えば、硬質のプラスチック、厚手の板紙などを支持層とする積層体である。その把持部５は、例えば、アルミ箔とプラスチック層との積層体からなる。
【００１２】
（実施の形態２）
図３は、この発明による第２の実施の形態である開封装置及びその開封装置を備えた容器一部を示している。その容器の開封方法を示している。図３に示す容器及び開封装置は、プルタブ１で覆われかつ内側フィルム（図示せず）で保護された飲み口２を頂壁に有する部分的な飲料容器３及び開封装置である。
【００１３】
図３（Ａ）に示す様に、この形態において、プルタブ１は、飲み口を覆う実質的に非変形性のカバー４と容器開封時に把持される把持部５とからなる。カバー４は、実質的に非変形性であるので、外から通常の応力が付加された場合、目立った変形も無い。この形態では、把持部５も実質的に非変形性である。容器の開封時に、図３（Ａ）に矢印で示す様に、把持部５を引き上げると、それに伴って、カバー４と把持部５とのヒンジ部分９を中心として回転する。
【００１４】
図３（Ｂ）に示す様に、把持部５の自由な回転が把持部端９とカバー端９との突き当たりにより止まり、把持部５の引き方向を前方に変えることにより、カバー４の剥離が開始する。
更に把持部５を引くことにより、プルタブのカバー４もヒンジ部分９付近から引き上げられる。この形態でも、カバー４と把持部５とが直線状に接合しているので、プルタブカバー４の剥離は、直線状に開始しその開始箇所も直線状になる。形態１の図２と同様に、開封メカニズムを概略的に示す様に、開始線からプルタブカバー４が容器頂壁であって飲み口の近傍から剥離する。剥離する方向は、図２の矢印を示す様に開始線に実質的に直角方向になる。
【００１５】
カバー４の飲み口の近傍から剥離にって、図３（Ｃ）に示す様に、飲み口２が開封される。この開封では、実質的に均等な力で飲み口端で内側フィルムを破断することができ、飲み口端で内側フィルムを均一に綺麗に破断することができる。
【００１６】
この実施の形態において、プルタブ１は、カバー４と把持部５とからなる。そのカバー４と把持部５とは、実質的に非変形性を持つものであり、例えば、硬質のプラスチック、厚手の板紙などを支持層とする積層体若しくは成形体である。そのカバー４は、更に、例えば、アルミ箔とプラスチック層のフィルムを接合したものであってよい。
上記形態における容器形状の他、この発明における包装容器は、例えば、ブリック状（平行６面体）の他、６角柱状、８角柱状、四面体形状などがある。
【００１７】
【発明の効果】
以上のように本発明によれば、以下の有利な効果が得られる。
この発明において、プルタブが、飲み口を覆う実質的に非変形性のカバーと容器開封時に把持される把持部とからなっているので、容器開封時にプルタブの把持部を引き上げると、プルタブのカバーが、その把持部の引き上げに伴って、プルタブのカバーが変形させること無く引き上げられる。その結果、実質的に均等な力で飲み口端で内側フィルムを破断することができる。
。
【図面の簡単な説明】
【図１】本発明の一実施の形態による飲用容器を部分的に示す斜視図
【図２】本発明の一実施の形態による容器の開封形態を示す概念図
【図３】本発明の別の実施の形態による容器の開封方法を示す斜視図
【図４】従来の容器の開封メカニズムを示す概念図
【図５】従来の容器を示す斜視図
【符号の説明】
１　・・・プルタブ
２　・・・飲み口
３　・・・容器
４　・・・カバー
５　・・・把持部
【図１】
2004042992.tif 000003
【図２】
2004042992.tif 000004
【図３】
2004042992.tif 000005
【図４】
2004042992.tif 000006
【図５】
2004042992.tif 000007